(57)【要約】      （修正有）【課題】動物にストレスを与えないように保定でき、取り扱い容易な動物保定具を提供すること。【解決手段】動物を袋内に入れて保定するための動物保定具１であって、外形視で略台形の袋型であって、略台形の上底側１０１および下底側１０２のそれぞれが開口し、下底側の開口から上底側の開口に向けて内寸が徐々に狭くなる袋本体１０を備え、袋本体が、帆布によって構成されたものである。この動物保定部において、袋本体における略台形の一組の脚側の少なくとも一方を縫製するアラミド繊維を含む縫製糸をさらに備えていてもよい。【選択図】図１
2020199146.tif 000002
【特許請求の範囲】
【請求項１】
動物を袋内に入れて保定するための動物保定具であって、
外形視で略台形の袋型であって、前記略台形の上底側および下底側のそれぞれが開口し、前記下底側の開口から前記上底側の開口に向けて内寸が徐々に狭くなる袋本体を備え、
前記袋本体は、帆布によって構成された、動物保定具。
【請求項２】
前記袋本体は、３号以上７号以下の綿帆布によって構成された、請求項１記載の動物保定具。
【請求項３】
前記袋本体における略台形の一組の脚側の少なくとも一方を縫製するアラミド繊維を含む縫製糸をさらに備えた、請求項１または２に記載の動物保定具。
【請求項４】
前記袋本体における略台形の一組の脚のうち一方である第１脚部は、前記上底および前記下底と略直交し、山折りに設けられ、
前記袋本体における略台形の一組の脚のうち他方である第２脚部は、前記縫製糸で縫製された、請求項３記載の動物保定具。
【請求項５】
前記袋本体は、未使用時には袋の表面片および裏面片が平坦に重なるよう構成され、使用時には前記略台形の第１脚部および第２脚部を互いの方向に押圧することで袋の表裏が拡がって袋型になるよう構成された、請求項１から４のいずれか１項に記載の動物保定具。
【発明の詳細な説明】
【技術分野】
【０００１】
本発明は、マウス、ラットなどの動物を保定するための動物保定具に関するものである。
【背景技術】
【０００２】
マウスやラットなど小型の動物を検体として用いる場合、注射などの処置を施しやすいように動物を保定しておく必要がある。このような動物保定具として、特許文献１〜５には、円筒形状の筒体の中に小動物を頭から挿入して保定する保定具が開示されている。
【０００３】
例えば、特許文献１には、筒体内にマウス等の小動物を容易に挿入でき、しかも尾を動きにくくして容易に尾に注射することができる保定器が開示される。また、特許文献２には、周壁部に多数の孔を有する実験動物収容用内筒体と、実験動物の鼻部のみの露出が可能なエアロゾル遮閉弁を有する内筒体封入用外筒体とから成る実験動物固定装置が開示される。
【０００４】
特許文献３には、小動物の測定解析対象となる肢部が自由な状態で、肢部以外の部位をしっかり固定する本体と、本体に固定された小動物の肢部が接地しない高さで本体を支持する支台と、を備えた高架型小動物固定器が開示される。特許文献４には、計測を受けている動物に計測を受けている間、吸入麻酔薬を投与することができる計測動物保持具が開示される。
【０００５】
また、特許文献５には、先端部が閉塞した半釣鐘状の形状をした筐体を有し、この半釣鐘状の筐体の先端部分が遮光されている動物固定台が開示される。
【０００６】
他の形態の動物保定具として、特許文献６〜９には、袋型の本体に小動物を収容する保定具が開示される。例えば、特許文献６には、金属製格子状の円筒体と、この円筒体の一部を除いて全体を包囲する織布部材とを備えた保持装置が開示される。また、特許文献７には、猫等の小動物を頭部が露出した状態で収容することができるとともに、小動物の背中に沿った部分を開閉できる袋状の保定用具が開示される。特許文献８には、少なくとも内径が、一方の大径開口部から他方の小径開口部に向って徐々に小径となっている筒状体から成る小動物用静止固定具が開示される。また、特許文献９には、織編物からなる筒状の動物保定具が開示される。
【先行技術文献】
【特許文献】
【０００７】
【特許文献１】特開平８−０４７５０２号公報
【特許文献２】特開平８−１３１４６５号公報
【特許文献３】特開２００４−１４７９６６号公報
【特許文献４】特開２０１０−２３３６４９号公報
【特許文献５】特開２００５−２６１４６０号公報
【特許文献６】特開平４−０７１５５３号公報
【特許文献７】特開２０１７−０００５７４号公報
【特許文献８】特開２００９−０３４０３９号公報
【特許文献９】国際公開ＷＯ２０１４／０１４０８５号公報
【発明の概要】
【発明が解決しようとする課題】
【０００８】
このように、動物保定具には、硬質な筒体の中に小動物を挿入して保定するものと、柔らかい袋状の本体に小動物を挿入して保定するものとがある。しかしながら、硬い筒体に動物を頭から挿入し、尻側を押さえて固定する保定具では、動物にストレスを与えやすく、落ち着いて処置を施せない場合もある。また、保定のための機構が複雑になるとともに、使用後の洗浄や消毒などのメンテナンスに手間がかかる。
【０００９】
一方、柔らかい袋状のものは、保定の際に動物にストレスを与えにくい。しかし、柔らかいことで十分な保定ができず、動物を袋内に収容した状態でファスナやベルト等で止める作業が必要になる。
【００１０】
本発明は、動物にストレスを与えないように保定でき、取り扱い容易な動物保定具を提供することを目的とする。
【課題を解決するための手段】
【００１１】
本発明の一態様は、動物を袋内に入れて保定するための動物保定具であって、外形視で略台形の袋型であって、略台形の上底側および下底側のそれぞれが開口し、下底側の開口から上底側の開口に向けて内寸が徐々に狭くなる袋本体を備え、袋本体が、帆布によって構成されたものである。
【００１２】
このような構成によれば、帆布によって構成された袋本体によって、動物にストレスを与えずに収容できるようになる。また、帆布による袋本体では、滅菌処理の際の熱に耐えることができる。また、帆布によって構成された袋本体を外形視で略台形の袋型にすることで、動物を収容した際に余った部分を折り曲げ、この折り曲げた部分を動物の自重で押さえておくことができるようになる。
【００１３】
上記動物保定具において、袋本体は、３号以上７号以下の綿帆布によって構成されていることが好ましい。これにより、綿の耐熱性および耐久性を得られるとともに、袋本体の適度な柔らかさ、容易な折り曲げ性、および適度な硬さ（保形性）を得られる。
【００１４】
上記動物保定部において、袋本体における略台形の一組の脚側の少なくとも一方を縫製するアラミド繊維を含む縫製糸をさらに備えていてもよい。これにより、一枚の帆布を裁断および縫製することでシンプルな袋本体を構成できるとともに、アラミド繊維を含むことで縫製糸の耐熱性を得ることができる。
【００１５】
上記動物保定具において、袋本体における略台形の一組の脚のうち一方である第１脚部は、上底および下底と略直交し、山折りに設けられ、袋本体における略台形の一組の脚のうち他方である第２脚部は、縫製糸で縫製されていてもよい。これにより、一枚の帆布を折り曲げて縫製することでシンプルな袋本体を構成することができる。
【００１６】
上記動物保定具において、袋本体は、未使用時には袋の表裏が平坦に重なるよう構成され、使用時には略台形の第１脚部および第２脚部を互いの方向に押圧することで袋の表裏が拡がって袋型になるよう構成されていることが好ましい。これにより、使用しない時には複数の動物保定具を積み重ねておくことができる。一方、使用する際には手で押圧すれば袋型になって動物を容易に収容することができる。
【発明の効果】
【００１７】
本発明によれば、動物にストレスを与えないように保定でき、取り扱い容易な動物保定具を提供することが可能になる。
【図面の簡単な説明】
【００１８】
【図１】（ａ）および（ｂ）は、本実施形態に係る動物保定具の構成を例示する模式図である。
【図２】（ａ）および（ｂ）は、本実施形態に係る動物保定具の構成を例示する模式斜視図である。
【図３】（ａ）および（ｂ）は、本実施形態に係る動物保定具の使用方法を例示する模式図である。
【図４】（ａ）および（ｂ）は、本実施形態に係る動物保定具の使用方法を例示する模式図である。
【図５】（ａ）から（ｃ）は、本実施形態に係る動物保定具の他の使用例を説明する模式図である。
【図６】（ａ）から（ｃ）は、本実施形態に係る動物保定具の製造方法を例示する模式図である。
【図７】（ａ）から（ｃ）は、本実施形態に係る動物保定具の製造方法を例示する模式図である。
【図８】（ａ）および（ｂ）は、ラットモデルによる使用状態を例示する写真である。
【図９】（ａ）および（ｂ）は、ラットモデルによる使用状態を例示する写真である。
【発明を実施するための形態】
【００１９】
以下、本発明の実施形態を図面に基づいて説明する。なお、以下の説明では、同一の部材には同一の符号を付し、一度説明した部材については適宜その説明を省略する。
【００２０】
（動物保定具の構成）
図１（ａ）および（ｂ）は、本実施形態に係る動物保定具の構成を例示する模式図である。図１（ａ）には動物保定具１の平面図が示され、図１（ｂ）には動物保定具１の概略サイズが示される。
図２（ａ）および（ｂ）は、本実施形態に係る動物保定具の構成を例示する模式斜視図である。図２（ａ）には先端側からみた斜視図が示され、図２（ｂ）には後端側からみた斜視図が示される。
【００２１】
本実施形態に係る動物保定具１は、検体となるマウスやラットなどの動物（小動物）を袋内に収容して固定する保定具である。動物保定具１は、外形視で略台形の袋型を有する袋本体１０を備える。袋本体１０は、それぞれ略台形の２枚の表面片１１および裏面片１２を重ねて袋状にしたものである。袋本体１０は、略台形における上底１０１の側および下底１０２の側のそれぞれに開口１０１ａおよび開口１０２ａを有している。袋本体１０の内寸は、下底１０２側の開口１０２ａから上底１０１側の開口１０１ａにかけて徐々に狭くなる。
【００２２】
本実施形態に係る動物保定具１において、袋本体１０は帆布（キャンバス生地）によって構成される。ここで、帆布とは、縦糸および横糸に太番手のより糸または引きそろえ糸を使用して密に織った平織物のことをいう。袋本体１０として帆布を用いることで、袋本体１０に適度な柔らかさ、容易な折り曲げ性、および適度な硬さ（保形性）を持たせることができ、取り扱いが容易となる。また、帆布を用いることで袋本体１０に遮光性を持たせることもできる。このような適度な硬さ（柔らかさ）と遮光性とによって、動物にストレスを与えることなく袋本体１０内に収容して、的確に保定できるようになる。
【００２３】
ここで、帆布製の袋本体１０としては、３号以上７号以下の綿帆布によって構成されていることが好ましい。帆布の号数は、原糸の番手、縦糸および横糸の撚り合わせ数、縦糸および横糸の密度、重さ、縦および横の引っ張り強さ、縦および横の伸び率によって、１号から１１号まで決められている。この号数による規格は、旧ＪＩＳで決められていたものであり、現在も製織業で標準的に使用されている規格である。
【００２４】
本実施形態では、袋本体１０として、この規格における３号以上７号以下の綿帆布を用いることが好ましい。すなわち、３号未満では柔軟性が乏しくなり、動物を収容した際に動物に加わる圧力によってストレスが生じやすくなるとともに、使用者の取り扱い性が低下する。一方、７号を超えると柔らかすぎて動物を収容した際に十分な保定性を得られない。
【００２５】
また、袋本体１０として綿帆布（綿糸を用いた帆布）を用いることで、滅菌処理の際の熱に耐えることができる。動物保定具１の滅菌処理としては、高圧蒸気滅菌（オートクレーブ）、乾熱滅菌、煮沸消毒が挙げられる。高圧蒸気滅菌では、例えば１１５℃で３０分間、１３４℃で１０分間などの条件で処理される。また、乾熱滅菌では、１３５℃から１４５℃で３時間から５時間、１８０℃から２００℃で０．５時間から１時間などの条件で処理される。また、煮沸消毒の温度は１００℃以下である。
【００２６】
綿糸の耐熱温度は、２３５℃で分解し、約２７５℃から４５６℃で燃焼する。したがって、綿糸の耐熱温度は、上記の滅菌処理の温度よりも高い。袋本体１０として綿帆布を用いれば、滅菌処理で加熱されても十分に耐えることができる。
【００２７】
袋本体１０において、それぞれ略台形の２枚の表面片１１および裏面片１２を重ねて袋状にする際、略台形の一組の脚（第１脚部１０３および第２脚部１０４）側の少なくとも一方が縫製糸２０で縫製される。図１および図２に示す例では、第２脚部１０４側を縫製糸２０で縫製している。この縫製糸２０には、アラミド繊維が含まれる。アラミド繊維の耐熱温度は約３７０℃である。したがって、アラミド繊維を含む縫製糸２０で縫製することで、上記の滅菌処理で加熱されても縫製糸２０が溶解することはない。
【００２８】
袋本体１０における略台形の一組の脚（第１脚部１０３および第２脚部１０４）のうち一方である第１脚部１０３は、上底１０１および下底１０２と略直交し、第２脚部１０４は、上底１０１および下底１０２と非直交となる。このような形状において、表面片１１と裏面片１２とは、第１脚部１０３において山折りになっており、第２脚部１０４の側で縫製糸２０により縫製されていてもよい。これにより、一枚の帆布を折り曲げて縫製することでシンプルな袋本体１０を構成することができる。
【００２９】
本実施形態に係る動物保定具１において、袋本体１０は、未使用時には袋の表裏（表面片１１と裏面片１２）が平坦に重なるよう構成される。これにより、使用しない時には複数の動物保定具１を積み重ねておくことができ、保管が容易となる。一方、使用時には、略台形の第１脚部１０３および第２脚部１０４を互いの方向に押圧することで袋の表裏が拡がって袋型になる。これにより、使用する際には手で押圧すれば簡単に袋型になって、動物を容易に収容することができるようになる。
【００３０】
（サイズの一例）
本実施形態に係る動物保定具１のサイズは、収容する動物の大きさに合わせて設定される。袋本体１０における上底１０１側の開口１０１ａの大きさは、収容する動物の頭が抜けない程度（例えば、動物の鼻先が出る程度）の大きさである。袋本体１０における下底１０２側の開口１０２ａの大きさは、収容する動物の胴直径の２倍から２．５倍程度である。袋本体１０における第１脚部１０３の長さは、収容する動物の頭胴長と同程度である。
【００３１】
一例として、ラットを対象とした動物保定具１のサイズは以下の通りである（図１（ｂ）参照）。
ここで、ラットは、頭胴長２０〜２５ｃｍ、尾長１５〜２０ｃｍを想定している。
・袋本体１０における開口１０１ａの大きさＬ１…約４ｃｍ
・袋本体１０における開口１０２ａの大きさＬ２…約２０ｃｍ
・袋本体１０における第１脚部１０３の長さＬ３…約２５ｃｍ
・袋本体１０における第２脚部１０４の長さＬ４…約３０ｃｍ
・第１脚部１０３と第２脚部１０４とのなす角θ…約３０度以上３５度以下
また、ラットを対象とする場合、袋本体１０における綿帆布の規格は３号以上７号以下程度が好ましい。
【００３２】
他の一例として、マウスを対象とした動物保定具１のサイズは以下の通りである。
ここで、マウスは、頭胴長７ｃｍ程度、尾長７ｃｍ程度を想定している。
・袋本体１０における開口１０１ａの大きさＬ１…約２ｃｍ
・袋本体１０における開口１０２ａの大きさＬ２…約９ｃｍ
・袋本体１０における第１脚部１０３の長さＬ３…約９ｃｍ
・袋本体１０における第２脚部１０４の長さＬ４…約１０ｃｍ
・第１脚部１０３と第２脚部１０４とのなす角θ…約３０度以上４０度以下
また、マウスを対象とする場合、袋本体１０における綿帆布の規格は５号以上９号以下程度が好ましい。
【００３３】
（使用方法）
次に、本実施形態に係る動物保定具１の使用方法について説明する。
図３（ａ）から図４（ｂ）は、本実施形態に係る動物保定具の使用方法を例示する模式図である。
本実施形態に係る動物保定具１は、未使用時には袋本体１０が平坦になっており、重ねて収納できるようになっている。使用する際には、図３（ａ）に示すように、手で袋本体１０を持って第１脚部１０３および第２脚部１０４を互いの方向に軽く押圧する。これにより、重なって閉じていた表面片１１および裏面片１２が拡がって袋型になり、下底１０２側の開口１０２ａが開く状態になる。本実施形態では、袋本体１０が帆布で構成されているため、繊維の柔軟性と張りとの適度なバランスによって、手で軽く握るようにすることで簡単に袋状にすることができる。
【００３４】
そして、袋本体１０を袋状に拡げた状態で、もう一方の手で動物Ａを持って開口１０２ａから袋本体１０内に入れる。袋本体１０は遮光性があり、開口１０２ａから開口１０１ａに向けて内寸が徐々に狭くなる構造のため、動物Ａは狭く暗い袋本体１０の上底１０１側に向かって自ら好んで進んで行く（図３（ｂ）参照）。動物Ａは、鼻先が開口１０１ａから出る場合もあるが、胴まで抜けてしまうことはない。また、上底１０１側の開口１０１ａが通気孔となって動物Ａの呼吸を妨げることはない。
【００３５】
次に、図４（ａ）に示すように、袋本体１０に動物Ａを収容した状態で、袋本体１０の第２脚部１０４側の余った部分Ｓを折り曲げる。これにより、下底１０２側の開口１０２ａの半分程度が折り返される。図４（ｂ）に示すように、折り返した部分Ｓは動物Ａの下側に巻き付けるようにして、テーブルＴ上に載置する。袋本体１０の折り返した部分Ｓは動物Ａの自重によって押さえられる。
【００３６】
すなわち、本実施形態では、袋本体１０が帆布で構成されるため、袋本体１０の余った部分Ｓを折り返して動物Ａの下側に巻き付けた際、動物Ａの自重程度でも帆布同士の摩擦によって折り返した部分Ｓが戻ってしまうことはない。つまり、ベルトやファスナなどで固定しなくても、袋本体１０で動物Ａを包む状態を維持することができる。この状態により、動物Ａは真横を向いてテーブルＴ上に保定されることになる。
【００３７】
動物Ａは、暗く狭い袋本体１０の中で柔らかく包み込まれるようになるため、ストレスを受けることなく、落ち着いた状態で横向きに保定されることになる。動物Ａの尾は、下底１０２側の開口１０２ａから外に延出する状態となる。実験者は、テーブルＴの上で落ち着いた状態で保定された動物Ａに対して所定の処置（例えば、動物Ａの尾に注射）を施すことができる。
【００３８】
特に、本実施形態では動物Ａを横向きに保定できるため、動物Ａの尾の左右側面に近位な尾静脈が上側に向く状態となる。このため、実験者にとって動物Ａの尾静脈に注射しやすい体勢を維持できることになる。また、開口１０１ａから動物Ａの鼻先が見えるため、ここから経口投与を行うこともできる。
【００３９】
本実施形態に係る動物保定具１のように、ベルトやファスナなど別な要素を用いることなく、袋本体１０の余った部分Ｓを折り返すだけで簡単に保定できる構造では、実験者は素早い動作（単に余った部分Ｓを折り曲げるだけ）で保定を済ませることができる。すなわち、ベルトやファスナなど別な要素を用いる場合には、予め用意したり、固定に手間取ったりするが、本実施形態ではそのような手間がかからず、簡単かつ素早く保定を完了することができる。また、動物Ａに対して少ない刺激で包むように保定するため動物Ａは落ち着いており、保定状態で実験者は両手を安心して使うことができる。このような本実施形態の動物保定具１はシンプルな構造ではあるものの、動物Ａに対する処置を行う上で非常に有効なツールとなる。
【００４０】
（他の使用例）
次に、本実施形態に係る動物保定具１の他の使用例について説明する。
図５（ａ）から（ｃ）は、本実施形態に係る動物保定具の他の使用例を説明する模式図である。
この使用例では、動物保定具１の袋本体１０内に合成樹脂製の袋Ｂを挿入し、この合成樹脂製の袋内に動物Ａを収容する。すなわち、本実施形態に係る動物保定具１を合成樹脂製の袋Ｂのカバーとして利用するものである。
【００４１】
図５（ａ）に示すように、動物Ａを収容する前に、本実施形態に係る動物保定具１の袋本体１０内に合成樹脂製の袋Ｂを入れる。これにより、図５（ｂ）に示すように、動物保定具１と合成樹脂製の袋Ｂとが一体となる。
【００４２】
図５（ｃ）に示すように、動物Ａを収容する際には動物保定具１の開口１０２ａとともに合成樹脂製の袋Ｂの開口を拡げる。動物Ａは合成樹脂製の袋Ｂの開口から袋内に収容される。合成樹脂製の袋Ｂが内挿されていることで、動物Ａはスムーズに袋Ｂ内に収容される。
【００４３】
また、合成樹脂製の袋Ｂだけでは薄く、表面が滑りやすいため、動物Ａを収容した状態で袋Ｂを折り曲げて保持しておくことは難しい。しかし、本実施形態に係る動物保定具１によって合成樹脂製の袋Ｂをカバーしているため、帆布による袋本体１０の硬さ（保形性）を利用して、袋本体１０の余った部分Ｓを動物Ａの下側に折り返して巻き込むようにすれば、保定した状態を維持することができる。また、合成樹脂製の袋Ｂが透光性を有する場合、袋Ｂのみでは動物Ａは落ち着かない。本実施形態に係る動物保定具１によって袋Ｂをカバーすることで、遮光性を持たせることができ、動物Ａは落ち着いて保定されることになる。
【００４４】
実験が完了した後は、動物Ａを取り出す。この際、動物Ａを取り出した後、合成樹脂製の袋Ｂを抜いてもよいし、袋Ｂと一緒に動物Ａを抜き出すようにしてもよい。このような袋Ｂを用いる使用例では、使用済みの袋Ｂのみを取り替えるようにすれば、動物保定具１を毎回滅菌処理する必要はなく使い回すことが可能となる。
【００４５】
（製造方法）
次に、本実施形態に係る動物保定具１の製造方法について説明する。
図６（ａ）から図７（ｃ）は、本実施形態に係る動物保定具の製造方法を例示する模式図である。
先ず、図６（ａ）に示すように、四角形の帆布Ｃを用意する。次に、図６（ｂ）に示すように、帆布Ｃを半分に折りたたむ。次いで、図６（ｃ）に示すように、半分に折りたたんだ帆布Ｃを斜めに裁断する。
【００４６】
斜めに裁断すると、図７（ａ）に示すように、二等辺三角形の帆布Ｃ１が１つ、直角三角形の帆布Ｃ２が２つ、取り出される。帆布Ｃ１およびＣ２を取り出した後、帆布Ｃ１およびＣ２のそれぞれの縁をかがり縫いなどで補強しておくことが好ましい。
【００４７】
次に、図７（ｂ）に示すように、二等辺三角形の帆布Ｃ１を半分に折って、重なった辺を縫製糸２０で縫製する。その後、先端部分を切り落とす。これにより、動物保定具１が完成する。
【００４８】
一方、図７（ｃ）に示すように、２つの直角三角形の帆布Ｃ２は重ね合わせた状態で、２辺を縫製糸２０で縫製する。その後、先端部分を切り落とす。これにより、動物保定具１が完成する。
【００４９】
（使用状態）
次に、本実施形態に係る動物保定具１の実際の使用状態について説明する。
図８（ａ）〜図９（ｂ）は、ラットモデルを用いた使用状態を例示する写真である。
図８（ａ）に示すように、ラットモデルＲは動物実験手技訓練用のモデルであり、実際のラットと同様な大きさ（体長、体重、胴回り、尾長など）、および軟らかさになっている。図８および図９に示す使用例では、図５に示すように、本実施形態の動物保定具１の袋本体１０内に合成樹脂製の袋Ｂを挿入し、この袋Ｂの中にラットモデルＲを入れている。
【００５０】
図８（ｂ）に示すように、動物保定具１にラットモデルＲを頭から挿入し、袋本体１０の余った部分Ｓを折り返す。ラットモデルＲの胴部分は帆布によって形成された袋本体１０によって柔らかく包まれ、尾Ｒｔは袋本体１０の開口１０２ａから外に延出する状態となる。帆布による袋本体１０では、動物の大きさの違いによる対応範囲が広い。
【００５１】
図９（ａ）および（ｂ）に示すように、袋本体１０の折り返した部分Ｓを下にしてテーブルＴに置くことで、ラットモデルＲの自重によって折り返した部分Ｓを押さえることができ、ラットモデルＲを袋本体１０で包んだ状態を維持することができる。
【００５２】
なお、上記ではラットモデルＲを用いた使用例を示したが、実際のラットを用いた実験も行っている。その結果、ラットを袋本体１０内に挿入し、折り返した部分Ｓを下にして自重によって保定状態を維持できることが分かった。挿入の際には広い開口１０２ａによって簡単にラットを袋本体１０に入れることができ、余った部分Ｓは帆布による柔軟性によって簡単に折り曲げることができる。この折り曲げによって開口１０２ａはラットの尾が出る程度のサイズに閉じられるとともに、ラットは袋本体１０内に優しく包まれる状態になる。テーブルＴに置いて両手を離してもラットは落ち着いた状態で横向きに保定され、開口１０２ａから延出する尾に対して実験者は両手を使って注射等の処置を行うことができた。
【００５３】
以上説明したように、本実施形態によれば、動物Ａにストレスを与えないように保定することができ、取り扱い容易な動物保定具１を提供することが可能になる。
【００５４】
なお、上記に本実施形態およびその適用例を説明したが、本発明はこれらの例に限定されるものではない。例えば、袋本体１０の材料として綿帆布を用いる例を示したが、綿帆布以外の帆布（麻、亜麻など）であっても適用可能である。また、帆布以外であっても、滅菌消毒の熱に耐えられる布素材を用いるようにしてもよい。また、上記の実施形態では、袋本体１０を縫製する縫製糸２０を備えた動物保定具１を示したが、縫製糸２０を用いることなくシームレスな袋本体１０で構成してもよい。また、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【産業上の利用可能性】
【００５５】
本発明に係る動物保定具１は、マウスやラットのほか、モルモット、うさぎなど他の動物の保定用としても好適に利用可能である。
【符号の説明】
【００５６】
１…動物保定具
１０…袋本体
１１…表面片
１２…裏面片
２０…縫製糸
１０１…上底
１０１ａ…開口
１０２…下底
１０２ａ…開口
１０３…第１脚部
１０４…第２脚部
Ａ…動物
Ｂ…袋
Ｃ，Ｃ１，Ｃ２…帆布
Ｒ…ラットモデル
Ｒｔ…尾
Ｓ…余った部分
Ｔ…テーブル
【図１】
2020199146.tif 000003
【図２】
2020199146.tif 000004
【図３】
2020199146.tif 000005
【図４】
2020199146.tif 000006
【図５】
2020199146.tif 000007
【図６】
2020199146.tif 000008
【図７】
2020199146.tif 000009
【図８】
2020199146.tif 000010
【図９】
2020199146.tif 000011